(57)【要約】【課題】収納庫の開口部と開閉扉の間に配置し、雨天時において商品が濡れることを防止する。【解決手段】  雨除け装置６の雨除けシート板６ａは防水性を備えた板状体であり、或る程度の剛性を有している。雨除けシート板６ａは略四角形状とされ、隅角端部Ａ、右側角端部Ｄは開閉扉３の上端３ａの両端に係止されている。左側角端部Ｂにはロープ等の紐体６ｄの一端が固定され、紐体６ｄは開口部２ａの横枠２ｂの中央部寄りに設けられた吊環６ｅに挿通され、紐体６ｄの他端は右側角端部Ｄに固定されている。開閉扉３を開くと、拡げられた雨除けシート板６ａの自由端部である、宙吊角端部Ｃは、自重により下方に垂れ下がりながら剛性によって中空に宙吊り状態で保持される。これにより、雨除けシート板６ａ上の雨水は、主に宙吊角端部Ｃ側に流れて落下する。【選択図】図３
2018150037.tif 000002
【特許請求の範囲】
【請求項１】
４つの角端部を有する略四角形の雨除け部材と、該雨除け部材に取り付け該雨除け部材を張り渡す紐体とから成り、トラック後方の収納庫の開口部の上部と、該開口部の縦方向の軸部に軸支された開閉扉の上端との間に張り渡して使用するトラック開閉扉用雨除け装置であって、
前記雨除け部材は、前記開口部と前記開閉扉の間の隅角部に位置する隅角端部と、該隅角端部の両側に位置する２つの側角端部と、隅角端部の対角に位置する宙吊角端部とを備え、
前記紐体の両端部は前記２つの側角端部の近傍の取付個所にそれぞれ固定され、
前記開閉扉上端の軸部近傍に、又は前記開口部上部の軸部近傍に設けた第１の被引掛部に対して、前記隅角端部に設けた第１の引掛部が係止され、
前記開閉扉の上部の端部に、及び前記開口部上部の横枠の中央部付近に設けた１対の第２の被引掛部に対して、一方の前記第２の被引掛部に前記取付個所の一方に設けた第２の引掛部が係止され、他方の前記第２の被引掛部に前記紐部が挿通自在に係止され、
又は前記一対の第２の被引掛部の両方に前記紐部が挿通自在に係止されることを特徴とするトラック開閉扉用雨除け装置。
【請求項２】
前記開閉扉を開いた際に、前記紐体により前記取付個所の少なくとも一方を吊り上げると共に、前記宙吊角端部を宙吊り状態とすることを特徴とする請求項１に記載のトラック開閉扉用雨除け装置。
【請求項３】
前記第２の被引掛部に対して、前記紐体は吊環を介して挿通自在に係止されることを特徴とする請求項１又は２に記載のトラック開閉扉用雨除け装置。
【請求項４】
前記第１、第２の引掛部、前記第１、第２の被引掛部及び前記吊環の係止は、フック、リング、紐体、面ファスナの何れかによることを特徴とする請求項３に記載のトラック開閉扉用雨除け装置。
【請求項５】
前記開閉扉の閉止により前記紐体を緩めて前記紐体により吊り下げられた前記取付個所を降下し、前記雨除け部材を垂れ下げることを特徴とする請求項１〜４の何れか１項に記載のトラック開閉扉用雨除け装置。
【請求項６】
前記開閉扉は観音開き状としたことを特徴とする請求項１〜５の何れか１項に記載のトラック開閉扉用雨除け装置。
【請求項７】
前記雨除け部材を２つの前記開閉扉にそれぞれ取り付け、隣接した２つの前記雨除け部材の前記宙吊角端部同士を連結することを特徴とする請求項１〜６の何れか１項に記載のトラック開閉扉用雨除け装置。
【請求項８】
前記雨除け部材は剛性を有する合成樹脂製のシート板としたことを特徴とする請求項１〜７の何れか１項に記載のトラック開閉扉用雨除け装置。
【請求項９】
前記雨除け部材の前記宙吊角端部の両側の辺部に、前記雨除け部材の面積を拡大する継ぎ足し板を付設したことを特徴とする請求項８に記載のトラック開閉扉用雨除け装置。
【請求項１０】
前記雨除け部材は柔軟性を有するシート布としたことを特徴とする請求項１〜７の何れか１項に記載のトラック開閉扉用雨除け装置。
【請求項１１】
前記雨除け部材の前記隅角端部と前記紐体による上下に移動可能とされた前記側角端部の間の辺部に該辺部に沿って支軸が取り付けられると共に、前記隅角端部と前記宙吊角端部を結ぶ対角線に沿って支軸が取り付けられていること特徴とする請求項１０に記載のトラック開閉扉用雨除け装置。
【請求項１２】
前記隅角端部と前記側角端部とを結ぶ少なくとも一方の辺部、及び該辺部の対辺が更に延長され、前記紐体の前記取付個所はそのままに、前記隅角端部と新たな側角端部との間と、前記隅角端部と新たな宙吊角端部との間とに、それぞれ前記支軸が取り付けられていること特徴とする請求項１１に記載のトラック開閉扉用雨除け装置。
【発明の詳細な説明】
【技術分野】
【０００１】
本発明は、商品運搬用トラックの後方の開閉扉に取り付けるトラック開閉扉用雨除け装置に関するものである。
【背景技術】
【０００２】
後方に収納庫の開閉扉を有する商品運搬用トラックに対して、開放された開閉扉の近くに運搬台車を寄せて収納庫に対し商品の積み込み、積み卸し作業を行う場合などに際し、雨が降っていると商品やその梱包が濡れてしまい、商品価値が損われることがある。
【０００３】
特許文献１には、降雨中でも商品を濡らすことなく、積み卸しが可能なトラックの雨除け装置が開示されている。この雨除け装置は、トラックの格納庫の出入口の上端に一対の折畳みアームを設け、モータの駆動により折畳みアームを伸張して、折畳みアーム間に張られたテント生地が中空に張り出す構造となっている。このため、降雨中に商品の積み卸し作業を行っても、張り出したテント生地により商品が濡れることはない。
【先行技術文献】
【特許文献】
【０００４】
【特許文献１】実開平４−１１７２３号公報
【特許文献２】実開昭６３−１４１０２１号公報
【発明の概要】
【発明が解決しようとする課題】
【０００５】
しかし、特許文献１の雨除け装置のように、テント生地を張り出す構造にすると、折畳みアーム部等を新たに取り付けなければならない。また、モータ、電源等の設備も必要になるため設備費用が高額となる。
【０００６】
更に、開閉扉の開閉に伴って、モータのオンオフを行わねばならず、テント生地の出し入れに時間がかかる。また、モータ等の機械部がトラック上端の高所に設置されるため、故障対応や保守作業がし難いという問題もある。
【０００７】
また、特許文献２には、自動車のドアを開けると、巻き取られていたシート部材が座席とドアとの間に拡開されて、乗降時に雨に濡れることを防止できる防止カバーが開示されている。しかし、この防止カバーはドアを閉止した状態におけるシート部材の収納機構が複雑となる。
【０００８】
本発明の目的は、上述の課題を解消し、開閉扉の開放時には簡便に収納庫の開口部と開閉扉間に張り渡し、降雨時に商品に雨水がかかることを防止し、閉止時には開閉扉に沿って収納できるトラック開閉扉用雨除け装置を提供することにある。
【課題を解決するための手段】
【０００９】
上記目的を達成するための本発明に係るトラック開閉扉用雨除け装置は、４つの角端部を有する略四角形の雨除け部材と、該雨除け部材に取り付け該雨除け部材を張り渡す紐体とから成り、トラック後方の収納庫の開口部の上部と、該開口部の縦方向の軸部に軸支された開閉扉の上端との間に張り渡して使用するトラック開閉扉用雨除け装置であって、前記雨除け部材は、前記開口部と前記開閉扉の間の隅角部に位置する隅角端部と、該隅角端部の両側に位置する２つの側角端部と、隅角端部の対角に位置する宙吊角端部とを備え、前記紐体の両端部は前記２つの側角端部の近傍の取付個所にそれぞれ固定され、前記開閉扉上端の軸部近傍に、又は前記開口部上部の軸部近傍に設けた第１の被引掛部に対して、前記隅角端部に設けた第１の引掛部が係止され、前記開閉扉の上部の端部に、及び前記開口部上部の横枠の中央部付近に設けた１対の第２の被引掛部に対して、一方の前記第２の被引掛部に前記取付個所の一方に設けた第２の引掛部が係止され、他方の前記第２の被引掛部に前記紐部が挿通自在に係止され、又は前記一対の第２の被引掛部の両方に前記紐部が挿通自在に係止されることを特徴とする。
【発明の効果】
【００１０】
本発明に係るトラック開閉扉用雨除け装置によれば、収納庫の開口部と開閉扉の間に簡便に張り渡し、雨天時における商品の積み込み、積み卸し作業に際しても、商品が濡れることを防止できる。また、電力を必要とせず、安価に取り付け可能であると共に、トラックの収納庫や開閉扉を改造せずに、容易に後付けで設置することが可能である。
【図面の簡単な説明】
【００１１】
【図１】開閉扉を閉じた状態のトラックの斜視図である。
【図２】開閉扉を開いた状態のトラックの斜視図である。
【図３】実施例１の雨除け装置の斜視図である。
【図４】実施例１の開閉扉の中間開放位置で雨除け装置を折り畳む状態の斜視図である。
【図５】実施例１の雨除け装置同士を結合した状態の斜視図である。
【図６】実施例１の変形例１の雨除け装置の斜視図である。
【図７】実施例１の変形例２の雨除け装置の斜視図である。
【図８】実施例２の雨除け装置の斜視図である。
【図９】実施例２の雨除け装置を折り畳む状態の斜視図である。
【図１０】実施例２の変形例１の雨除け装置の斜視図である。
【図１１】実施例２の変形例２の雨除け装置の斜視図である。
【図１２】実施例２の変形例３の雨除け装置の斜視図である。
【図１３】変形例３の開閉扉の中間開放位置で雨除け装置を折り畳む状態の斜視図である。
【発明を実施するための形態】
【００１２】
本発明を図示の実施例に基づいて詳細に説明する。
【実施例１】
【００１３】
図１は開閉扉を閉じた状態のトラックの斜視図、図２はトラック後方の開閉扉を開いた状態のトラックの斜視図である。トラック１は長方形状の収納庫２を有し、この収納庫２の後面の開口部２ａには観音開き状に開閉する一対の開閉扉３、４が設けられている。これらの複数の蝶番５により取り付けられた左右の開閉扉３、４は、開口部２ａの縦枠に沿った縦方向の軸部に対して、外側に開閉できるように配置されている。
【００１４】
実施例１のトラック開閉扉用雨除け装置６は、各開閉扉３、４ごとに、収納庫２の開口部２ａの上部の横枠２ｂと、この開閉扉３、４の上端３ａ、４ａとにそれぞれ係止して、張り渡すことができるようにされている。なお、図２では開閉扉３側に取り付けた雨除け装置６が図示され、開閉扉４側の雨除け装置６は図示を省略している。
【００１５】
このように、雨除け装置６は開閉扉３、４のそれぞれに取り付けたり、何れか一方側にのみ取り付ける場合もあり得るが、以下の説明においては、主として、開閉扉３側に雨除け装置６を取り付けた場合を説明する。
【００１６】
図３は雨除け装置６の斜視図であり、図示するように開閉扉３を外側に９０度開いた状態で、開口部２ａと開閉扉３間に雨除け装置６が拡開されている。雨除け装置６は雨除け部材として雨除けシート板６ａを備え、この雨除けシート板６ａは防水性を備えた例えばアクリル、ポリカーボネート、発泡合性樹脂等から成る板状体から構成されている。なお、この雨除けシート板６ａは或る程度の剛性を有する板材であれば、適宜の材料を採用することができる。
【００１７】
雨除けシート板６ａは、隅角端部Ａ、左側角端部Ｂ、宙吊角端部Ｃ、右側角端部Ｄ、辺部ＡＢ、ＢＣ、ＣＤ、ＤＡを有する略四角形状とされている。なお、隅角端部Ａは開口部２ａと開閉扉３との間の隅角部に配置されている。そして、隅角端部Ａに隣接して左側角端部Ｂ、右側角端部Ｄが配置され、隅角端部Ａの対角位置に宙吊角端部Ｃが配置されており、図３において隅角端部Ａと右側角端部Ｄは、開閉扉３の上端３ａの両端に係止されている。なお、隅角端部Ａは開閉扉３ではなく、開口部２ａの軸部上方近傍に係止してもよい。
【００１８】
例えば、隅角端部Ａにはフック状の第１の引掛部である引掛部６ｂ、右側角端部Ｄには第２の引掛部であるフック状の引掛部６ｃがそれぞれ取り付けられている。
【００１９】
これらの引掛部６ｂ、６ｃは、開閉扉３の上端３ａの両側にそれぞれ取り付けられた例えば環状紐から成る一対の被引掛部３ｂにより係止されるようになっている。第１の被引掛部である被引掛部３ｂは、開閉扉３の上端の軸部近傍に、又は開口部２ａの上端の軸部近傍に設けられている。
【００２０】
また、１対から成る第２の被引掛部は、開閉扉３の上部の端部に設けた被引掛部３ｂと、開口部２ａの上部の横枠２ｂの中央部付近に設けた被引掛部２ｃとから構成されている。
【００２１】
なお、上述の係止は実施例に限定されることなく、例えば引掛部６ｂと被引掛部３ｂとを入れ替えたり、辺部ＡＢに面ファスナを取り付け、上端３ａに対応する面ファスナを取り付けて、これらの面ファスナ同士を用いて係止することもできる。更に、例えば角端部Ａ、Ｄに金属又は合成樹脂製の鳩目孔を取り付け、被引掛部３ｂと各鳩目孔とを結ぶ紐体により係止することもできる。或いは、フック、リング、紐体、面ファスナ等を適宜に組合わせることも可能である。
【００２２】
左側角端部Ｂ及び右側角端部Ｄの近傍には、ロープ等の紐体６ｄの端部が固定されている。この紐体６ｄの端部を雨除けシート板６ａの左側角端部Ｂ及び右側角端部Ｄの近傍に取り付ける取付個所と引掛部６ｃの取付個所とは、ほぼ同じ位置としている。
【００２３】
開口部２ａの上部の横枠２ｂの中央部付近の隅角部から辺部ＡＢに相当する距離だけ離れた個所であって、開口部２ａの上部のほぼ中央には、被引掛部２ｃが取り付けられている。紐体６ｄの中間部は、被引掛部２ｃに係止された吊環６ｅに摺動自在に挿通されている。また、紐体６ｄの端部の側角端部Ｂ、Ｄへの取り付けは、図示のように側角端部Ｂ、Ｄに鳩目孔を設けて紐体６ｄの端部を結んでいるが、適宜の取付方法を採用することができる。
【００２４】
被引掛部２ｃは吊環６ｅを着脱自在に係止できる適宜の鉤状部材等が採用されているが、吊環６ｅを設けずに、紐体６ｄを被引掛部２ｃに直接引っ掛けるようにしてもよい。
【００２５】
紐体６ｄの長さは、図３に示すように開閉扉３を９０度に開いた状態で、吊環６ｅを介して左側角端部Ｂが被引掛部２ｃの近くにまで引き上げられると共に、開閉扉３を閉止した状態では、左側角端部Ｂが下方に降り切る程度とされている。従って、紐体６ｄは側角端部Ｂ、Ｄ間の対角線の長さよりも多少長目であることが好ましい。
【００２６】
雨除けシート板６ａは、図４に示すような開閉扉３が開いた状態の中間開放位置では、紐体６ｄが緩んでいるために垂れ下がり、開閉扉３を完全に閉止すると、開閉扉３の裏側に沿って位置することになる。
【００２７】
また、開閉扉３を開けると紐体６ｄが張られて、雨除けシート板６ａは図４に示す状態を経て、図３に示すように開口部２ａと開閉扉３との間に張り渡され、下方に対する雨除けとなる。この場合に、左側角端部Ｂは若干下がった位置となり、拡げられた雨除けシート板６ａは自重により自由端部である宙吊角端部Ｃに向けて傾斜し、宙吊角端部Ｃは中空に宙吊り状態で保持される。これにより、雨除けシート板６ａ上の雨水は、辺部ＢＣ側に寄りながら宙吊角端部Ｃから落下する。このようにして、開閉扉３の開閉に伴って、雨除けシート板６ａは張り渡されたり、垂れ下がることになる。
【００２８】
開閉扉４を閉じた状態で開閉扉３のみを開閉する場合は、図３、図４に示すように開閉扉３側の雨除け装置６を使用する。しかし、開閉扉３、４の両方を開いた状態で商品の積み込み、積み卸し作業を行う場合には、図５に示すように開閉扉３、４側にそれぞれ設けた雨除けシート板６ａ同士を、連結具７によって連結することができる。
【００２９】
つまり、開閉扉３側に取り付けた雨除けシート板６ａと、開閉扉４側に取り付けた別の雨除けシート板６ａとの宙吊角端部Ｃ同士を、それぞれに設けた例えば鳩目孔同士をフックなどの連結具７によって連結し、雨除け面積を大きくすることができる。そして、商品の積み込み、積み卸し作業が完了し、開閉扉３、４を閉止する際には、連結具７による連結を解除する。
【００３０】
この連結具７による連結は、その他にも紐体、面ファスナ等により、適宜に連結、解除が可能なものを採用できる。このように連結することで、面積が大きくなった両側の雨除けシート板６ａの下で、効率的に積み卸し作業を行うことができる。
【００３１】
なお、雨除けシート板６ａは、正方形、長方形に限定されることはなく、略四角形であればよく、例えば台形状であっても支障はなく、或いは各角端部は若干の丸みを帯びさせることもできる。
【００３２】
また、右側角端部Ｄにおける引掛部６ｃと被引掛部３ｂから成る係止部において、被引掛部３ｂは開閉扉３の上端３ａから若干下方に位置させ、上端３ａよりも稍々下がった個所において引掛部６ｃを係止すると、雨除けシート板６ａ上に降った雨水は辺部ＣＤ側にも寄って流れ易くなる。
【００３３】
この雨除け装置６をトラック１の開閉扉３に取り付ける場合には、収納庫２内に入った作業員が、開閉扉３を或る程度閉じた状態で、雨除けシート板６ａの隅角端部Ａ、右側角端部Ｄの引掛部６ｃを、開閉扉３の上端３ａの両側の被引掛部３ｂに係止する。次に、予め左側角端部Ｂ、右側角端部Ｄ間に紐体６ｄを挿通した吊環６ｅを、開口部２ａの被引掛部２ｃに係止することにより、取付作業が完了する。また、取り外しに際しては、逆の手順で行えばよい。
【００３４】
このように、雨除け装置６をトラック１の開閉扉３に取り付けた上で、開閉扉３を９０度開くと、紐体６ｄが引かれ、左側角端部Ｂは下方に降り切った状態から、吊環６ｅを介して被引掛部２ｃの近くにまで引き上げられる。そして、宙吊角端部Ｃも引き上げられ、宙吊角端部Ｃ側に傾斜した宙吊り状態となり、宙吊角端部Ｃから雨水を落下させることができる。
【００３５】
図６は実施例１の変形例１の雨除け装置６の斜視図であり、図３に図示の雨除けシート板６ａの辺部ＢＣ、ＣＤに、雨除けシート板６ａと同材質の継ぎ足し板６ｆ、６ｇが、ヒンジにより回動自在に付設されている。継ぎ足し板６ｆ、６ｇは雨除けシート板６ａ上に折り返し可能とされ、非使用時には一点鎖線で示すように、折り畳んだ状態で例えば面ファスナ６ｈにより接着可能とされている。
【００３６】
使用に際して、継ぎ足し板６ｆ、６ｇを図６に示すように拡げると、継ぎ足し板６ｆ、６ｇは雨除けシート板６ａと同一平面となるようにされており、実質上、雨除けシート板６ａの面積が拡大され、雨除け効果が大きくなる。
【００３７】
図７は実施例１の変形例２の斜視図である。隅角端部Ａの引掛部６ｂ及び左側角端部Ｂの引掛部６ｃを、開口部２ａの横枠２ｂの被引掛部２ｃにそれぞれ引っ掛けることにより、開口部２ａに係止されている。そして、右側角端部Ｄは開閉扉３の上端３ａの被引掛部３ｂに、吊環６ｅを介して係止している。そして、左側角端部Ｂの鳩目孔に結んだ紐体６ｄは、吊環６ｅを通して右側角端部Ｄの鳩目孔に固定されている。
【００３８】
このように、雨除け装置６をトラック１の開口部２ａ側に取り付けることで、開閉扉３を９０度開くと、宙吊角端部Ｃ及び右側角端部Ｄが下方に降り切った状態から、右側角端部Ｄが被引掛部３ｂの近くにまで引き上げられる。そして、自由端部である宙吊角端部Ｃも引き上げられて宙吊り状態となり、この宙吊角端部Ｃから雨水を落下させることができる。
【００３９】
ここで、２個の被引掛部２ｃを収納庫２の開口部２ａ内部の天井部に取り付けると、雨除けシート板６ａの辺部ＡＢは開口部２ａの内側に係止されることになり、開口部２ａと雨除けシート板６ａとの隙間からの雨水の落下を防止することができる。
【実施例２】
【００４０】
図８は実施例２の雨除け装置１６の斜視図であり、実施例１の雨除け装置６の本体は雨除けシート板６ａであるが、本実施例２の雨除け装置１６は雨除けシート布１６ａとされている。雨除けシート布１６ａは、帆布、ゴム引き布、テント等に用いられる合成布、不織布等から成り、柔軟性、防水性を備えたシート状とされている。
【００４１】
この雨除けシート布１６ａは実施例１と同様に、角端部Ａ、Ｂ、Ｃ、Ｄ、辺部ＡＢ、ＢＣ、ＣＤ、ＤＡを有する略四角形状とされている。そして、隅角端部Ａ、左側角端部Ｂは開口部２ａの横枠２ｂに係止されており、雨除けシート布１６ａの係止は図７に示す実施例１の変形例２と同様とされており、右側角端部Ｄは開閉扉３の上端３ａに、被引掛部３ｂに紐体１６ｄにより吊環１６ｅを介して係止されている。つまり、紐体１６ｄの一端は右側角端部Ｄの鳩目孔に固定され、吊環１６ｅに挿通され、更に他端は左側角端部Ｂの鳩目孔に固定されている。
【００４２】
一方、隅角端部Ａと右側角端部Ｄとを結ぶ雨除けシート布１６ａの辺部ＤＡに沿って雨除けシート布１６ａが屈曲しないように支軸１６ｆが取り付けられている。更に、隅角端部Ａと対角位置にある宙吊角端部Ｃとの対角線に沿っても支軸１６ｇが取り付けられている。
【００４３】
雨除けシート布１６ａは、図９に示すような開閉扉３の中間開放位置では、支軸１６ｇが折り目として若干折れ曲がった状態とされている。開閉扉３を開けると図８に示すように紐体１６ｄが引かれて、雨除けシート布１６ａは開口部２ａと開閉扉３との間に張り渡されて下方に対する雨除けとなる。このとき、支軸１６ｆにより辺部ＤＡが折れ曲がらず、また支軸１６ｇにより宙吊側端部Ｃが折れ曲がることはない。
【００４４】
雨除けシート布１６ａを拡開すると、右側角端部Ｄが下降すると共に、雨除けシート布１６ａは支軸１６ｇを折り目として若干折れ曲がり、自由端部である宙吊角端部Ｃが右側角端部Ｄよりも更に下方に垂れ下がり、支軸１６ｇの剛性によって宙吊り状態で保持される。これにより、雨除けシート布１６ａ上の雨水は、主に支軸１６ｇに沿って形成される溝部に沿って、宙吊角端部Ｃから落下する。
【００４５】
また必要に応じて、実施例１の図５に示すように、開閉扉４側に取り付けた雨除けシート布１６ａと、開閉扉３側に取り付けた雨除けシート布１６ａの宙吊角端部Ｃ同士を、宙吊角端部Ｃにそれぞれ設けた鳩目孔を連結具７などにより連結することにより、雨除け面積を大きくすることができる。
【００４６】
図１０は実施例２の変形例１の雨除け装置１６の斜視図であり、図８に示す実施例２に対して雨除けシート布１６ａ’は、辺部ＢＣ、ＤＡの長さが新たな宙吊角端部Ｃ’、新たな右側角端部Ｄ’まで長く延長された長方形とされている。
【００４７】
また、雨除けシート布１６ａ’の隅角端部Ａにはフック状の引掛部１６ｂ、右側角端部Ｄにはフック状の引掛部１６ｃがそれぞれ取り付けられ、紐体１６ｄの端部を雨除けシート布１６ａ’の左側角端部Ｂ及び右側角端部Ｄ’の近傍に取り付け、左側角端部Ｂの取付個所と引掛部１６ｃの取付個所とは、ほぼ同じ位置としている。
【００４８】
支軸１６ｆは新たな左側角端部Ｄが折れ曲がらないように隅角端部Ａ、側角端部Ｄ’間に取り付けられ、支軸１６ｇは隅角端部Ａと延長された宙吊角端部Ｃ’間を結ぶ対角線ＡＣ’に沿って取り付けられている。
【００４９】
また、開口部２ａに対する雨除けシート布１６ａ’の左側角端部Ｂが被引掛部２ｃに係止され、左側角端部Ｂに紐体１６ｄの一端は固定されている。紐体１６ｄの他端を固定する元の右側角端部Ｄは、開閉扉３の上端３ａの下方に配置されているが、新たな右側角端部Ｄ’は紐体１６ｄが固定された元の右側角端部Ｄの延長上に位置している。
【００５０】
このように、雨除けシート布１６ａ’のＤＡ、ＢＣ方向の長さを長くし、支軸１６ｆ、１６ｇを延長することにより、雨除けシート布１６ａ’は延長した新たな宙吊角端部Ｃ’、右側角端部Ｄ’まで面積が広がり、有効な雨除けとなる。この雨除けシート布１６ａ’の使用により、雨除け装置１６上の雨水は宙吊角端部Ｃ’から落下することになる。
【００５１】
図１１は実施例２の変形例２の雨除け装置１６の斜視図を示し、図１０の変形例１における延長部分が、更に辺部ＡＢ、ＣＤ方向にも設けられている。即ち、右側角端部Ｄ’の延長に加えて、辺部ＡＢは元の左側角端部Ｂが新たな左側角端部Ｂ”まで延長された雨除けシート布１６ａ”が使用される。
【００５２】
そして、新たな左側角端部Ｂ”が折れ曲がらないように、辺部ＡＢに沿って左側角端部Ｂ”まで支軸１６ｈが取り付けられ、支軸１６ｇは隅角端部Ａと対向する新たな宙吊角端部Ｃ”との間に取り付けられている。なお、紐体１６ｄは元の右側角端部Ｄ、元の左側角端部Ｂに固定されている。
【００５３】
この実施例２の変形例２においては、図８、図１０に示す雨除けシート布１６ａ、１６ａ’よりも大きな雨除けシート布１６ａ”を使用することができ、雨水は宙吊角端部Ｃ”から落下し、雨除け効果が更に大きくなる。
【００５４】
図１２は実施例２の変形例３の雨除け装置１６の斜視図を示している。この変形例３においては、図１１の変形例２に対し左側角端部Ｂも吊環１６ｅを介して紐体１６ｄに吊り上げられており、紐体１６ｄの端部を雨除けシート板６ａの左側角端部Ｂ”及び右側角端部Ｄ’の近傍に取り付けられている。
【００５５】
この場合に、開閉扉３を開くと紐体１６ｄは張られて、図１２に示すように雨除けシート布１６ａ”は張り渡され、変形例２と同様に雨水は宙吊角端部Ｃ”から落下する。一方、開閉扉３を閉止すると、雨除けシート布１６ａ”は図１３に示すように、紐体１６ｄが緩み、雨除けシート布１６ａ”の側角端部Ｂ”、Ｄ’、宙吊角端部Ｃ”は隅角端部Ａから下方に吊り下げられ、開閉扉３の裏側に沿って垂れ下がることになる。
【００５６】
また、図１２に示す雨除け装置１６に対して開閉扉３を閉止する場合は、図示するように側角端部Ｂ”、Ｄ’が垂れ下がりながら格納されるため、開閉扉３の面積内で収納することが可能である。従って、開閉扉４に対して対称になるように雨除け装置１６を配置しても、開閉扉３、４の開閉に支障はない。
【００５７】
従って、支軸１６ｇを折り目とした状態で、側角端部Ｂ”、Ｄ’は垂れ下がりながら閉止した際に、開閉扉３の面積内で収納可能となるように側角端部Ｂ”、Ｄ’の延長する長さは決められていることになる。
【００５８】
しかし、図１１に示す雨除け装置１６は、左側角端部Ｂ”が垂れ下がらないため、開閉扉３、４の両方に雨除け装置１６を配置した場合には、閉止時に左側角端部Ｂ”の雨除けシート布１６ａの個所が重複するため、開閉扉３、４の開閉作業が不便になる。
【００５９】
支軸１６ｆ、１６ｇ、１６ｈは合成樹脂材が好適であるが、合成樹脂材以外の金属材、木材等を適宜に使用することができ、その断面形状等は任意である。
【００６０】
また、支軸１６ｆ、１６ｇ、１６ｈは雨除けシート布１６ａに対し接着剤により接着したり、縫製によって取り付けることができ、これらの支軸１６ｆ、１６ｇ、１６ｈは雨除けシート布１６ａの表側又は裏側に取り付けることもできる。更に、雨除けシート布１６ａを２枚重ねとし、支軸１６ｆ、１６ｇ、１６ｈをこれらの雨除けシート布１６ａ間に挟み込むようにしてもよい。
【００６１】
このように、隅角端部Ａと左側角端部Ｂ、右側角端部Ｄとの距離を大きくして、雨除け装置１６を拡大する構造は、実施例１の雨除け装置６においても採用することができる。なお、実施例１においては、雨除けシート板６ａ自体が或る程度の剛性を有しているので、支軸１６ｆ、１６ｇ、１６ｈを用いる必要はない。
【００６２】
上述の実施例１、２においては、雨除け装置６、１６によりその下方への雨滴の落下は防止されるので、降雨時においても、雨除け部材の下の開口部２ａの近くに運搬台車を寄せれば、商品を濡らすことなく、積み卸しを行うことができる。
【００６３】
また、雨除け装置６、１６は、降雨時における雨除けを主たる目的としているが、夏季における商品の積み卸し時において、冷凍商品が直射日光に晒されることを防止するために使用することもできる。
【００６４】
開閉扉３、４は観音開き状として説明したが、開閉扉は更に複数に分けて折畳みができる形式のものでも、或いは開閉扉が１個で片開きであっても、実施例の雨除け装置６、１６を適用することができる。
【００６５】
なお、雨除け装置６、１６は雨天等の必要時にのみ、簡便にトラック１に取り付けることもできるので、常設による開閉扉の頻繁な開閉による劣化を防止できる。例えば、梅雨等の雨が多い時期や夏季の日差しの強い時期には、雨除け装置６、１６を常時取り付けた状態で使用し、逆に冬場等の雨が少ない時期には、雨除け装置６、１６を取り外して運用することが好ましい。
【００６６】
また、一日の中でも、降雨中に使用し、雨が止んだら吊環６ｅ、１６ｅを被引掛部２ｃから外して、雨除けシート板６ａ、雨除けシート布１６ａを開閉扉３、４の開閉に拘らず、裏面に沿って吊り下げておくこともできる。この場合に、宙吊角端部Ｃ、Ｃ’、Ｃ”を面ファスナなどを用いて開閉扉３、４の裏面に固定しておき、雨除けシート板６ａ、雨除けシート布１６ａが動かないようにしておくことが好ましい。
【００６７】
更に、外部から収納庫２内の商品を見え難くするために、又は保冷車の場合には外部の熱気の流入を防止するために、開閉扉３、４への係止を解除して、開口部２ａに対して、雨除け装置６、１６を暖簾のように垂らして使用することも可能である。
【００６８】
或いは、開閉扉３、４を１８０度、２７０度に開く場合には、予め雨除け装置６、１６の開口部２ａへの係止を解除し、雨除け部材を吊り下げておけば、開閉扉３、４を大きく開けることができる。
【００６９】
上述したように、トラック１にトラック開閉扉用雨除け装置６を設けることで、収納庫の開口部２ａと開閉扉３、４の間に簡便に張り渡し、雨天時における商品の積み込み、積み卸し作業に際しても、商品が濡れることを防止できる。また、電力を必要とせず、安価に取り付け可能であると共に、トラックの収納庫２や開閉扉３、４を改造せずに、容易に後付けで設置することが可能である。
【符号の説明】
【００７０】
１  トラック
２  収納庫
２ａ  開口部
２ｂ  横枠
２ｃ、２ｄ、３ｂ  被引掛部
３、４  開閉扉
３ａ、４ａ  上端
５  蝶番
６、１６  雨除け装置
６ａ、１６ａ  雨除けシート板
６ｂ、６ｃ、１６ｂ、１６ｃ  引掛部
６ｄ、１６ｄ  紐体
６ｅ、１６ｅ  吊環
６ｆ、６ｇ  継ぎ足し板
７  連結具
１６ａ、１６ａ’、１６ａ”  雨除けシート布
１６ｆ、１６ｇ、１６ｈ  支軸
Ａ  隅角端部
Ｂ、Ｂ”、Ｄ、Ｄ’  側角端部
Ｃ、 Ｃ’、Ｃ”  宙吊角端部
ＡＢ、ＢＣ、ＣＤ、ＤＡ  辺部
【図１】
2018150037.tif 000003
【図２】
2018150037.tif 000004
【図３】
2018150037.tif 000005
【図４】
2018150037.tif 000006
【図５】
2018150037.tif 000007
【図６】
2018150037.tif 000008
【図７】
2018150037.tif 000009
【図８】
2018150037.tif 000010
【図９】
2018150037.tif 000011
【図１０】
2018150037.tif 000012
【図１１】
2018150037.tif 000013
【図１２】
2018150037.tif 000014
【図１３】
2018150037.tif 000015